(57)【要約】【課題】高速回転時においても、ロータリフィーダに土質改良材が円滑に導入されるようにすることで、土砂に対して所望の割合で土質改良材を供給することができる土質改良機及びこれに用いる土質改良材供給装置を提供する。【解決手段】土砂を改質するための土質改良材を供給する土質改良材供給装置において、貯留タンクと、この貯留タンク下部のケーシング４７内に設けられる回転軸５１と、この回転軸５１の外周に放射状に取り付けられ、土質改良材供給室５３を区画形成する隔壁機能を有する複数の羽根部材５２と、土質改良材供給室５３内の空気を隣接する土質改良材供給室５３に逃がす貫通孔５２ａとを備える。【選択図】  図７
2004360356.tif 000002
【特許請求の範囲】
【請求項１】
土砂を土質改良材と混合して改質する土質改良機において、
改質する土砂を受け入れる土砂ホッパと、
貯留タンクと，この貯留タンク下部のケーシング内に設けられる回転軸と，この回転軸の外周に放射状に取り付けられ、土質改良材供給室を区画形成する隔壁機能を有する複数の羽根部材と，土質改良材供給室内の空気を隣接する土質改良材供給室に逃がす通気部とで構成される土質改良材供給装置と、
土砂及び土質改良材を搬送する搬送コンベアと、
この搬送コンベアで搬送された土砂と土質改良材とを混合する混合機と
を備えたことを特徴とする土質改良機。
【請求項２】
前記通気部は、前記羽根部材に設けた貫通孔であることを特徴とする請求項１記載の土質改良機。
【請求項３】
前記通気部は、前記羽根部材の外周部に設けた切り欠きであることを特徴とする請求項１記載の土質改良機。
【請求項４】
前記通気部は、前記ケーシングに設けた排気孔であり、更にこの排気孔と、この排気孔よりも前記ケーシングにおける回転方向上流側の位置に設けた吸気孔とを接続するバイパス管路を備えたことを特徴とする請求項１記載の土質改良機。
【請求項５】
土砂を改質するための土質改良材を供給する土質改良材供給装置において、
貯留タンクと、
この貯留タンク下部のケーシング内に設けられる回転軸と、
この回転軸の外周に放射状に取り付けられ、土質改良材供給室を区画形成する隔壁機能を有する複数の羽根部材と、
土質改良材供給室内の空気を隣接する土質改良材供給室に逃がす通気部と
を備えたことを特徴とする土質改良材供給装置。
【発明の詳細な説明】
【０００１】
【発明の属する技術分野】
本発明は、受け入れた土砂を土質改良材と混合して改良する土質改良機及びこれに用いる土質改良材供給装置に関するものである。
【０００２】
【従来の技術】
一般に、土質改良機は、土砂を改質するための土質改良材を貯留した貯留タンクと、この貯留タンク内の土質改良材を土砂に供給するためのフィーダとを有する土質改良材供給装置を備えている。この土質改良材供給装置に用いるフィーダの代表例として、いわゆるロータリフィーダが挙げられる。
【０００３】
ロータリフィーダは、ケーシング内において、回転軸に放射状に複数の羽根部材を設けたロータを回転させるもので、貯留タンクからケーシング入口を介して導入した土質改良材を、相隣接する羽根部材間に形成された土質改良材供給室に受け入れ、各土質改良材供給室に受け入れた土質改良材を、順次ケーシング出口から土砂に供給するようになっている（例えば、特許文献１等参照）。
【０００４】
【特許文献１】
特開２０００−４５２６３号公報
【０００５】
【発明が解決しようとする課題】
ここで、前述した土質改良材供給室には、ロータの回転に伴ってケーシング入口の直下に差し掛かった際、貯留タンクからケーシング入口を介して自然落下する土質改良材が受け入れられる。つまり、土質改良材の受け入れ時、土質改良材供給室においては、その内部の空気と土質改良材との置換が行われる。
【０００６】
しかしながら、通常、隣接する２枚の羽根部材とケーシング内壁とでほぼ密閉された土質改良材供給室には、内部の空気の逃げ場がないため、低速回転時こそ土質改良材と空気とが円滑に入れ替わる（ロータリフィーダの羽根部材間に土質改良材が供給される）ものの、高速回転時には土質改良材供給室内の空気が土質改良材と円滑に入れ替わらなくなる傾向がある。そのため、回転速度が速くなるほど、各土質改良材供給室に受け入れられる土質改良材の量が少なくなる。
【０００７】
したがって、土砂に対して土質改良材を多量に供給しようとしてロータリフィーダを高速回転させているにも関わらず、所望量の土質改良材を供給することができず、その結果、改良土の品質の低下を招く恐れがあった。
【０００８】
本発明は、上記の事柄に基づいてなされたものであり、その目的は、高速回転時においても、ロータリフィーダに土質改良材が円滑に導入されるようにすることで、土砂に対して所望の割合で土質改良材を供給することができる土質改良機及びこれに用いる土質改良材供給装置を提供することにある。
【０００９】
【課題を解決するための手段】
上記目的を達成するために、第１の発明は、土砂を土質改良材と混合して改質する土質改良機において、改質する土砂を受け入れる土砂ホッパと、貯留タンクと，この貯留タンク下部のケーシング内に設けられる回転軸と，この回転軸の外周に放射状に取り付けられ、土質改良材供給室を区画形成する隔壁機能を有する複数の羽根部材と，土質改良材供給室内の空気を隣接する土質改良材供給室に逃がす通気部とで構成される土質改良材供給装置と、土砂及び土質改良材を搬送する搬送コンベアと、この搬送コンベアで搬送された土砂と土質改良材とを混合する混合機とを備えたことを特徴とする。
【００１０】
本発明によれば、土質改良材供給室の内部の空気を隣接する土質改良材供給室に逃がす通気部を設けたことによって、土質改良材供給室に土質改良材が流入する際、流入する土質改良材に押し出される形で、内部の空気が隣接する土質改良材供給室に流出する。これにより、各土質改良材供給室において、土質改良材と内部の空気との置換を円滑化することができ、土質改良材を円滑かつ定量的に導入することができる。したがって、高速回転時であっても、土砂に対する土質改良材の添加率を回転速度に見合ったものとすることができ、土砂に対する土質改良材の混合比を所望値とすることができるので、改良土の品質を向上させることができる。
【００１１】
また、第２の発明は、上記第１の発明において、前記通気部は、前記羽根部材に設けた貫通孔であることを特徴とする。
【００１２】
また、第３の発明は、上記第１の発明において、前記通気部は、前記羽根部材の外周部に設けた切り欠きであることを特徴とする。
【００１３】
また、第４の発明は、上記第１の発明において、前記通気部は、前記ケーシングに設けた排気孔であり、更にこの排気孔と、この排気孔よりも前記ケーシングにおける回転方向上流側の位置に設けた吸気孔とを接続するバイパス管路を備えたことを特徴とする。
【００１４】
また、第５の発明は、土砂を改質するための土質改良材を供給する土質改良材供給装置において、貯留タンクと、この貯留タンク下部のケーシング内に設けられる回転軸と、この回転軸の外周に放射状に取り付けられ、土質改良材供給室を区画形成する隔壁機能を有する複数の羽根部材と、土質改良材供給室内の空気を隣接する土質改良材供給室に逃がす通気部とを備えたことを特徴とする。
【００１５】
【発明の実施の形態】
以下、本発明の土質改良機及びこれに用いる土質改良材供給装置の一実施の形態を図面を用いて説明する。
図１は本発明の土質改良機の一実施の形態の全体構造を表す側面図、図２は本発明の土質改良機の一実施の形態の全体構造を表す上面図である。
これら図１及び図２において、１は走行体で、この走行体１は、走行体フレーム２と、この走行体フレーム２の両側に設けたトラックフレーム３と、トラックフレーム３の一方側（図１中左側）に設けた遊動輪４と、トラックフレーム３の他方側（図１中右側）に設けた駆動輪５と、駆動輪５の回転軸（図示せず）に直結した駆動モータ６と、遊動輪４及び駆動輪５に掛け回した履帯７とで構成されている。
【００１６】
８は走行体フレーム２に設けた本体フレーム、９はこの本体フレーム８の他方側（図１中右側）に支持枠１０を介して設けた動力装置である。この動力装置９は、エンジン（図示せず）と、このエンジンによって駆動されるポンプ（図示せず）と、このポンプからの圧油を走行体１等の各機器に切換え供給する複数の弁（図示せず）とを備えている。
【００１７】
１１は本体フレーム８の長手方向ほぼ中央上に設けた混合機で、この混合機１１は、その本体内に平行に設けた複数のパドルミキサ（図示せず）を備えている。また混合機１１は、その装置本体の一方側（図１中左側）上部に入口１２を、他方側（図１中右側）下部に出口（図示せず）を備えている。１３はパドルミキサを駆動する駆動装置である。
【００１８】
１４は本体フレーム８の一方側（図１中左側）に設けた支持架台、１５はこの支持架台１４上にばね１６を介して設けた篩装置で、この篩装置１５は、図２に示すように格子部材１７を備えている。１８は篩装置１５に設けた偏心軸、１９は加振用油圧モータ、２０はこれら偏心軸１８と加振用油圧モータ１９とを連結するベルトである。
【００１９】
２１は篩装置１５の下方に位置するように支持架台１４に設けた搬送コンベアで、この搬送コンベア２１の放出側（図１中右側）端部は、混合機１１の入口１２上方に位置している。２２は篩装置１５と搬送コンベア２１との間に位置するように支持架台１４に設けた土砂ホッパである。
【００２０】
２３は本体フレーム８の長手方向ほぼ中央上に、複数の支柱２４によって支持された土質改良材供給装置で、この土質改良材供給装置２３は、土質改良材を貯留する貯留タンク２７と、この貯留タンク２７の下部に設けたロータリフィーダ２５とで構成されている。ロータリフィーダ２５は、搬送コンベア２１の放出側（図１中右側）端部付近の上方に位置する。
【００２１】
図３は、土質改良材供給装置２３の詳細構造を表す側面図で、先の各図と同様の部分には同符号を付し説明を省略する。
この図３に示すように、上記貯留タンク２７は、略円形の天板部２８及び底板部２９と、これら天板部２８及び底板部２９を連結する伸縮自在な蛇腹部３０とで構成されている。また、３１は天板部２８の側面に固定した複数（この例では４つ）の取付部材、３２はこの取付部材３１に垂設した支持管である。３３は底板部２９を載置した台板２６に貫通する形で固定した取付パイプで、この取付パイプ２６は、支持管３２を挿通している。３４は支持管３２の上部側及び下部側に設けたピン挿通孔（上部側のもののみ図３に図示）、３５は蛇腹部３０が伸びた状態（図３の状態）或いは縮んだ状態において、取付パイプ３３に設けたピン挿通孔（図示せず）を介してピン挿通孔３４に挿通するストッパピンである。
【００２２】
図２に戻り、３６は天板部２８の中央部に設けた開口（図示せず）を開閉する開閉蓋である。この開口内部には、カッタ（図示せず）を設けてあり、貯留タンク２７に土質改良材を充填する際には、この開閉蓋３６を開け、例えばクレーン（図示せず）を用いて土質改良材の入ったフレキシブルコンテナを開口に挿入し、カッタに押し付けて自重によりその下端部を切り裂き、土質改良材を貯留タンク２７内へ導入する。
【００２３】
図４は、図３中ＩＶ−ＩＶ断面による貯留タンク２７の水平断面図であり、先の各図と同様の部分には同符号を付し説明を省略する。
この図４において、３７は底板部２９の底板、３８は底板部２９の側壁、３９は底板３７に設けた所定の開口径の土質改良材排出口である。また、４０は底板３７に近接配置されたホッパ内攪拌手段で、このホッパ内攪拌手段４０は、底板３７の中央部に貫通し図示しない駆動モータに接続した回転軸４１と、この回転軸４１に放射状に取付けた複数本（この例では４本）の主翼４２と、この複数の主翼４２の先端部に支持されたリング状の保持部材４３と、この保持部材４３の内周側に所定のピッチで取付けられた複数（この例では８つ）の小翼４４とで構成されている。
【００２４】
図５はロータリフィーダ２５の詳細構造を表す上面図、図６は図５中ＶＩ−ＶＩ断面によるロータリフィーダ２５の側断面図、図７は図５中ＩＸ−ＩＸ断面による縦断面図、図８は後述するロータ５０の概略構成を表す斜視図である。
これら図５乃至図８において、４７はロータリフィーダ２５の本体を成す貯留タンク２７下部に設けたケーシングで、このケーシング４７は、上部側のケーシング入口４６と、下部側のケーシング出口４８と、これらケーシング入口４６及びケーシング出口４８に接続した中間部の円筒部４９とで構成されている。４５はケーシング入口４６に設けたフランジで、このフランジ４５は、ケーシング入口４６が貯留タンク２７の土質改良材排出口３９に接続するよう、貯留タンク２７の底板３７の下面にボルト締結してある。
【００２５】
５０はケーシング４７の円筒部４９内で回転するロータで、このロータ５０は、図８に示すように、円筒部４９内にほぼ水平に設けた回転軸５１と、この回転軸５１の外周部に放射状に設けた複数の羽根部材５２とで構成されている。各羽根部材５２は、その回転軌跡が円筒部４９の内壁面に倣うよう（ほぼ摺設するよう）取付けられており、隣接する羽根部材５２と円筒部４９の内壁面とで円筒部４９内の空間を区画し、土質改良材供給室５３を区画形成する機能を有する。また、５２ａは各羽根部材５２に設けた貫通孔で、この貫通孔５２ａは、一の土質改良材供給室５３の内部の空気を、それよりも回転方向上流側の他の土質改良材供給室５３（この例では上流側に隣接する土質改良材供給室５３）に逃がす通気部の役割を果たす。なお、図８において、各羽根部材５２に２つづつ貫通孔５２ａを設けた状態を図示したが、数に特別な限定はない。但し、貫通孔５２ａに穿設位置に関しては、図８に示したように、各羽根部材５２における径方向外寄りの位置が好ましい。
【００２６】
図９は図５中矢印Ａ方向から見たロータリフィーダ２５の側面図であり、先の各図と同様の部分には同符号を付し説明を省略する。
この図９において、５４はその中央にロータ５０の回転軸５１を挿通するスプロケット、５５はこれらスプロケット５４と回転軸５１とを固定するキー、５６はロータ５０を駆動する電動可変速型の駆動モータである。また、５７は駆動モータ５６の出力軸、５８はこの出力軸５７に固定されたスプロケット、５９はスプロケット５４，５８の間に掛け回されたチェーンである。このような構成により、駆動モータ５６からの駆動力が、チェーン５９を介して回転軸５１に伝達され、ロータ５０が回転駆動するようになっている。
【００２７】
図１及び図２に戻り、６０は前述した混合機１１の図示しない出口から排出された改良土を搬送し排出する排出コンベアで、この排出コンベア６０は、連結部６１等によって動力装置９及び本体フレーム８から吊り下げ支持され、一方側（図１中左側）は混合機１１の出口下に位置し、他方側（図１中右側）は動力装置９の下方から放出側（図１中右側）に向かって昇り傾斜となっている。６２（図２参照）は排出コンベア６０の駆動モータである。
【００２８】
次に、上述した本発明の自走式土質改良機の一実施の形態の動作を説明する。
例えば油圧ショベルのバケット等により自走式土質改良機の篩装置１５に土砂を投入すると、この篩装置１５の格子部材１７を通過した改質対象土砂が下方の土砂ホッパ２２に受け入れられる。土砂ホッパ２２で受け入れられた土砂は、その下方の搬送コンベア２１の搬送ベルト上に載置され、自走式土質改良機の他方へ向かって搬送される。そして、搬送コンベア２１の搬送方向下流側端部近傍にて、その搬送土砂の表面に、土質改良材供給装置２３から所定量の土質改良材が添加され、これら土砂及び土質改良材が搬送コンベア２１によって混合機１１に搬送される。この搬送コンベア２１で搬送された土砂と土質改良材とは混合機１１内のパドルミキサで均一に攪拌混合され、改良土として排出コンベア６０のコンベアベルト上に排出される。そして、改良土は排出コンベア６０によってさらに自走式土質改良機の他方側に搬送され、最終的に自走式土質改良機の端部から排出される。
【００２９】
ここで、上記した動作のうち搬送コンベア２１により搬送される搬送土砂への土質改良材供給動作の詳細を説明する。
前述したように、土質改良材供給装置２３の上部に設けた開閉蓋３６を開き、例えばクレーン等を用いて土質改良材の入ったフレキシブルコンテナを図示しない開口に挿入し、その内部に設けたカッタに押し付けて自重によりフレキシブルコンテナの下端部を切り裂き土質改良材を貯留タンク２７内へ充填する。
【００３０】
貯留タンク２７に充填された土質改良材は、底板部２９内部において、ホッパ内攪拌手段４０により順次土質改良材排出口３９に導かれる。すなわち、ホッパ内攪拌手段４０が先の図４中の矢印方向に回転することにより、底板部２９の中央付近の土質改良材は主翼４２により径方向外側に導かれ、底板部２９の側壁３８付近の土質改良材は小翼４４により径方向内側に導かれる。これにより、土質改良材は土質改良材排出口３９へと導かれ、これを介してロータリフィーダ２５に導入される。
【００３１】
図７に示すように、ケーシング４７内部にケーシング入口４６を介して導入された土質改良材は、その下方に広がる土質改良材供給室５３に流入する。土質改良材供給室５３は、駆動モータ５６の駆動力がその出力軸５７、スプロケット５８、チェーン５９、スプロケット５４を介してロータ５０の回転軸５１に伝達され、ロータ５０が回転駆動することにより、ロータ５０の回転軸５１を中心に順次回転移動している。
【００３２】
図１０（ａ）乃至図１０（ｄ）は、土質改良材が土質改良材供給室５３に順次導入され、排出されるまでの様子を経時的に表す図である。
これら図１０（ａ）乃至図１０（ｄ）において、１つの土質改良材供給室５３に符号ａを付し、土質改良材がこの土質改良材供給室ａに導入され、排出される様子を説明する。
【００３３】
まず、土質改良材供給室ａは、図中矢印で示す方向に回転し、図１０（ａ）においては、ケーシング入口４６に差し掛かった状態にあり、このとき土質改良材が土質改良材供給室ａに流入し始める。土質改良材は、土質改良材供給室ａが図１０（ａ）の状態から図１０（ｂ）に示す位置に移動する間、すなわち土質改良材供給室ａの少なくとも一部がケーシング入口４６に臨んでいる間に、土質改良材供給室ａに自然落下する。
【００３４】
そしてさらに回転移動し、図１０（ｃ）に示すように土質改良材供給室ａの一部がケーシング出口４８に差し掛かると、土質改良材は、自重によりケーシング出口４８を介して排出され始め、下方に位置する搬送コンベア２１により搬送される土砂上に添加される。土質改良材は、この図１０（ｃ）の状態から図１０（ｄ）に示す位置に移動する間、すなわち土質改良材供給室ａの少なくとも一部がケーシング出口４８に臨んでいるとき、自重により土質改良材供給室ａから排出される。
【００３５】
その後、土質改良材供給室ａはさらに回転し、再び図１０（ａ）の位置に回転移動して新たな土質改良材を導入する。上記のような動作を各土質改良材供給室５３が繰り返すことにより、各土質改良材供給室５３に流入した土質改良材は順次搬送コンベア２１により搬送される土砂に添加される。
【００３６】
ここで、土質改良材供給室５３には、ロータ５０の回転に伴ってケーシング入口４６の直下に差し掛かった際（土質改良材供給室ａであれば図１０（ａ）の状態のとき）、貯留タンク２７からケーシング入口４６を介して自然落下する土質改良材が受け入れられるが、この土質改良材の受け入れ時、土質改良材供給室５３においては、その内部の空気と土質改良材との置換が行われる。
【００３７】
しかしながら、一般には、土質改良材供給室は、隣接する２枚の羽根部材とケーシング内壁とでほぼ密閉状態で、内部の空気の逃げ場がないため、低速回転時こそ土質改良材と空気とが円滑に入れ替わり土質改良材が導入されるものの、高速回転時には土質改良材供給室内の空気が土質改良材に円滑に入れ替わらなくなる傾向がある。その結果、各土質改良材供給室に受け入れられる土質改良材は、回転速度が速くなるほど少なくなり、回転速度に見合った土質改良材供給量が得られず、土砂に対する土質改良材の添加率が変動してしまう。
【００３８】
それに対し、本実施の形態によれば、各羽根部材５２に貫通孔５２ａが穿設されているので、上記の土質改良材供給室ａを例に挙げると、例えば、図１０（ａ）から図１０（ｂ）にかけて土質改良材を受け入れる際、流入する土質改良材に押し出される形で、内部の空気が貫通孔５２ａを介し回転方向上流側に隣接する土質改良材供給室５３に流出する。このように、土質改良材の受け入れ時、各土質改良材供給室５３内において、ケーシング入口４６に差し掛かった際、土質改良材の流入に伴い、内部空気が回転方向上流側の隣室に順次排気されるので、各土質改良材供給室５３において、土質改良材と内部の空気との置換を円滑化することができ、土質改良材を円滑かつ定量的に導入することができる。これにより、高速回転時であっても、土砂に対する土質改良材の添加率をロータ５０の回転速度に見合ったものとすることができるので、土砂に対する土質改良材の混合比を所望値とすることができ、改良土の品質を向上させることができる。
【００３９】
図１１は、本発明の土質改良機及びこれに用いる土質改良材供給装置の他の実施の形態に用いるロータリフィーダの断面図で、先の図７に対応する図である。
本実施の形態が、前述した本発明の土質改良材及びこれに用いる土質改良材供給装置の一実施の形態と相違する点は、この図１１に示すように、ある土質改良材供給室の内部の空気を上流側の土質改良材供給室に逃がす通気部として、貫通孔５２ａに代えて、各羽根部材５２の外周部に設けた切り欠き５２ｂを設けた点にある。
図１１では、各羽根部材５２に切り欠き５２ｂを２つづつ設けた場合を図示したが、各羽根部材５２に対する切り欠き５２ｂの数に特別な限定はなく、１つでも良いし、３つ以上であっても良い。また、本例では、各羽根部材５２におけるロータ５０の外周側（図１１で見た場合上下側）端部に、切り欠き５２ｂを設けた場合を図示してあるが、ロータ５０の軸方向側（図１１中左右方向）端部に設けても良い。但し、図１１に示すように、土質改良材が流入し難い各羽根部材５２のコーナ部付近に設けることが好ましい。その他の構成は、前述した本発明の一実施の形態と同様である。
【００４０】
本実施の形態においても、土質改良材供給室５３に流入してくる土質改良材に押し出される形で、土質改良材供給室５３内の空気が、切り欠き５２ｂを介し、ロータ５０の回転方向上流側に隣接する他の土質改良材供給室５３に流出するので、土質改良材の受け入れ時、土質改良材供給室５３内の空気が円滑に土質改良材に置換される。これにより、土質改良材が、高速回転時であっても、土質改良材供給室５３に円滑かつ定量的に導入され、土砂に対する土質改良材の添加率をロータ５０の回転速度に見合ったものとすることができるので、土砂に対する土質改良材の混合比を所望値とすることができ、改良土の品質を向上させることができる。
【００４１】
図１２は、本発明の土質改良機及びこれに用いる土質改良材供給装置の更に他の実施の形態に用いるロータリフィーダの断面図で、先の図７に対応する図である。
本実施の形態が、前述した本発明の土質改良材及びこれに用いる土質改良材供給装置の一実施の形態と相違する点は、図１２に示すように、一の土質改良材供給室の内部の空気を上流側の他の土質改良材供給室に逃がす通気部として、貫通孔５２ａに代えて、各羽根部材５２の外周部に沿って円筒部４９の内壁面との間隙部５２ｃを設けた点にある。この間隙部５２ｃは、羽根部材５２の外周部との間に間隙が生じるよう、円筒部４９の内部容積を大きくすることにより形成したものであっても良いし、ケーシング４７はそのままとして、単に各羽根部材５２を一回り小さくすることにより形成したものであっても良い。その他の構成は、前述した本発明の一実施の形態と同様である。
【００４２】
本実施の形態においても、土質改良材供給室５３に流入してくる土質改良材に押し出される形で、土質改良材供給室５３内の空気が、間隙部５２ｃを介し、ロータ５０の回転方向上流側に隣接する他の土質改良材供給室５３に流出するので、土質改良材の受け入れ時、土質改良材供給室５３内の空気が円滑に土質改良材に置換される。これにより、土質改良材が、高速回転時であっても、土質改良材供給室５３に円滑かつ定量的に導入され、土砂に対する土質改良材の添加率をロータ５０の回転速度に見合ったものとすることができるので、土砂に対する土質改良材の混合比を所望値とすることができ、改良土の品質を向上させることができる。
【００４３】
図１３は、本発明の土質改良機及びこれに用いる土質改良材供給装置の更に他の実施の形態に用いるロータリフィーダの断面図で、先の図６に対応する図である。
本実施の形態が、前述した本発明の土質改良材及びこれに用いる土質改良材供給装置の一実施の形態と相違する点は、図１３に示すように、一の土質改良材供給室の内部の空気を上流側の他の土質改良材供給室に逃がす通気部として、貫通孔５２ａに代えてケーシング４７に設けた排気孔５２ｄを設け、更にこの排気孔５２ｄと、この排気孔５２ｄよりもケーシング４７における図１３に矢印で示す回転方向の上流側の位置に設けた吸気孔５２ｅとを接続するバイパス管路５２ｆを設けた点にある。吸気孔５２ｅの位置は、排気孔５２ｆよりも回転方向上流側でかつケーシング入口４８よりも下流側であれば、特別限定されるものではなく、隣接する土質改良材供給室５３に内部空気をバイパスさせるようにしても良いし、更に上流側の土質改良材供給室５３に内部空気をバイパスさせるようにしても良い。その他の構成は、前述した本発明の一実施の形態と同様である。
【００４４】
本実施の形態においても、土質改良材供給室５３に流入してくる土質改良材に押し出される形で、土質改良材供給室５３内の空気が、排気孔５２ｆ、バイパス管路５２ｆ、吸気孔５２ｅを介し、ロータ５０の回転方向上流側の他の土質改良材供給室５３に流出するので、土質改良材の受け入れ時、土質改良材供給室５３内の空気が円滑に土質改良材に置換される。これにより、土質改良材が、高速回転時であっても、土質改良材供給室５３に円滑かつ定量的に導入され、土砂に対する土質改良材の添加率をロータ５０の回転速度に見合ったものとすることができるので、土砂に対する土質改良材の混合比を所望値とすることができ、改良土の品質を向上させることができる。
【００４５】
なお、以上においては、履帯７を用いたクローラ式の走行装置を備えた自走式土質改良機を例に説明したが、これに限られず、ホイール式の走行装置を備えた自走式土質改良機にも本発明は適用可能である。勿論、走行装置を持たない定置式の土質改良機にも本発明は適用可能である。これらの場合も同様の効果を得る。
【００４６】
また、篩装置１５を振動篩としたが、固定篩としても良い。さらに、例えば回転打撃子を内部に設け、この回転打撃子で土砂及び土質改良材を解砕混合するいわゆる解砕方式の混合機を備えた自走式土質改良機にも、本発明は適用可能である。これらの場合も、同様の効果が得られる。
【００４７】
【発明の効果】
本発明によれば、以上のように、一の土質改良材供給室に土質改良材が流入する際、土質改良材供給室内の空気が、流入する土質改良材に押し出される形で通気部を介し隣接する土質改良材供給室に流出するので、土質改良材を円滑かつ定量的に導入することができる。したがって、高速回転時であっても、土砂に対する土質改良材の添加率を回転速度に見合ったものとすることができ、土砂に対する土質改良材の混合比を所望値とすることができるので、改良土の品質を向上させることができる。
【図面の簡単な説明】
【図１】本発明の土質改良機の一実施の形態の全体構造を表す側面図である。
【図２】本発明の土質改良機の一実施の形態の全体構造を表す上面図である。
【図３】本発明の土質改良機の一実施の形態に備えられた土質改良材供給装置の詳細構造を表す側面図である。
【図４】図３中ＩＶ−ＩＶ断面による、本発明の土質改良機の一実施の形態に備えられた貯留タンクの水平断面図である。
【図５】本発明の土質改良機の一実施の形態に備えられたロータリフィーダの詳細構造を表す上面図である。
【図６】図５中ＶＩ−ＶＩ断面による、本発明の土質改良機の一実施の形態に備えられたロータリフィーダの側断面図である。
【図７】図５中ＩＸ−ＩＸ断面による、本発明の土質改良機の一実施の形態に備えられたロータリフィーダの縦断面図である。
【図８】本発明の土質改良機の一実施の形態に備えられたロータの概略構成を表す斜視図である。
【図９】図５中矢印Ａ方向から見た、本発明の土質改良機の一実施の形態に備えられたロータリフィーダの側面図である。
【図１０】土質改良材が土質改良材供給室に順次導入され、排出されるまでの様子を経時的に表す図である。
【図１１】本発明の土質改良機及びこれに用いる土質改良材供給装置の他の実施の形態に用いるロータリフィーダの断面図で、図７に対応する図である。
【図１２】本発明の土質改良機及びこれに用いる土質改良材供給装置の更に他の実施の形態に用いるロータリフィーダの断面図で、図７に対応する図である。
【図１３】本発明の土質改良機及びこれに用いる土質改良材供給装置の更に他の実施の形態に用いるロータリフィーダの断面図で、図６に対応する図である。
【符号の説明】
１１      混合機
２１      搬送コンベア
２２      土砂ホッパ
２３      土質改良材供給装置
２７      貯留タンク
４７      ケーシング
５１      回転軸
５２      羽根部材
５２ａ    貫通孔（通気部）
５２ｂ    切り欠き（通気部）
５２ｃ    間隙部（通気部）
５２ｄ    排気孔（通気部）
５２ｅ    吸気孔
５２ｆ    バイパス管路
５３      土質改良材供給室
【図１】
2004360356.tif 000003
【図２】
2004360356.tif 000004
【図３】
2004360356.tif 000005
【図４】
2004360356.tif 000006
【図５】
2004360356.tif 000007
【図６】
2004360356.tif 000008
【図７】
2004360356.tif 000009
【図８】
2004360356.tif 000010
【図９】
2004360356.tif 000011
【図１０】
2004360356.tif 000012
【図１１】
2004360356.tif 000013
【図１２】
2004360356.tif 000014
【図１３】
2004360356.tif 000015